(57)【要約】【課題】他の認証コードの無線端末との接続を容易に行うことができる無線通信装置を提供することを目的とする。【解決手段】無線通信装置２は、パソコンから送られてきたコマンドと認証コードを受信するインターフェース部５と、受信したコマンドを解析するコマンド解析部６と、メモリ部８と、コマンド解析部６で解析したコマンドが認証コード書きこみコマンドの時にメモリ部８に受信した認証コードを書きこむデータ読み出し／書きこみ部７と、メモリ部８への認証コードの書きこみが終了したときに書きこみ終了メッセージを作成してインターフェース部５に出力するメッセージ作成部９と、子機からの認証コードを受信する無線送受信部１０と、受信した認証コードとメモリ部８に書きこまれている認証コードとを用いて認証処理を行い、認証終了後に子機との接続リンク処理を行う制御部１１とを有する。【選択図】図１
2005057567.tif 000002
【特許請求の範囲】
【請求項１】
アプリケーションソフトに基づいて動作するパソコンとデータの送受信を行い、子機とデータの送受信を無線で行う無線通信装置であって、
前記無線通信装置は、前記パソコンから送られてきたコマンドと認証コードを受信するインターフェース部と、前記インターフェース部から受信したコマンドを解析するコマンド解析部と、データを記憶するメモリ部と、前記コマンド解析部で解析したコマンドが認証コード書きこみコマンドの時に前記メモリ部に受信した前記認証コードを書きこむデータ読み出し／書きこみ部と、前記メモリ部への認証コードの書きこみが終了したときに書きこみ終了メッセージを作成して前記インターフェース部に出力するメッセージ作成部と、無線を介して前記子機から送られてきた認証コードを受信する無線送受信部と、前記無線送受信部で受信した認証コードと前記メモリ部に書きこまれている認証コードとを用いて認証処理を行い、認証終了後に前記子機との接続リンク処理を行う制御部とを有することを特徴とする無線通信装置。
【請求項２】
前記コマンド解析部で解析したコマンドが認証コード参照コマンドの時、前記データ読み出し／書きこみ部は前記メモリ部から認証コードを読み出し、前記メッセージ作成部は読み出し終了メッセージを作成して読み出した前記認証コードと共に前記インターフェース部に出力することを特徴とする請求項１に記載の無線通信装置。
【請求項３】
前記メモリ部は、データとして、通信に必要なパラメータを記憶することを特徴とする請求項１または２に記載の無線通信装置。
【請求項４】
前記子機と、アプリケーションソフトに基づいて動作するパソコンとデータの送受信を行うと共に前記子機とデータの送受信を無線で行う無線通信装置とを有する無線通信システムであって、
前記無線通信装置は、前記パソコンから送られてきたコマンドを受信するインターフェース部と、前記子機とデータの送受信を無線で行う無線送受信部と、前記インターフェース部から受信したコマンドを解析すると共に解析したコマンドが前記子機へのコマンドの時に前記解析したコマンドを前記無線送受信部に出力するコマンド解析部と、前記無線送受信部で受信したデータを解析すると共に解析した前記データが前記子機からのメッセージの時は前記インターフェース部に出力する受信データ解析部と、データを記憶するメモリ部とを有し、
前記子機は、前記無線通信装置とデータの送受信を無線で行う前記子機無線送受信部と、前記子機無線送受信部で受信したデータを解析する子機コマンド解析部と、データを記憶する子機メモリ部と、前記子機コマンド解析部で解析したデータが認証コード書きこみコマンドの時には前記子機メモリ部に認証コードを書きこむデータ読み出し／書きこみ部と、前記子機メモリ部への認証コードの書きこみが終了したときに書きこみ終了メッセージを作成して前記子機無線送受信部に出力するメッセージ作成部とを有することを特徴とする無線通信システム。
【請求項５】
前記データ読み出し／書きこみ部は、前記子機コマンド解析部で解析したコマンドが認証コード参照コマンドの時には前記子機メモリ部から認証コードを読み出し、前記メッセージ作成部は読み出し終了メッセージを作成して前記子機メモリ部から読み出した認証コードと共に前記無線送受信部に出力することを特徴とする請求項４に記載の無線通信システム。
【請求項６】
前記子機メモリ部は、データとして、通信に必要なパラメータを記憶することを特徴とする請求項５に記載の無線通信システム。
【請求項７】
前記無線通信装置のメモリ部は、データとして、親機の認証コードやパラメータを記憶することを特徴とする請求項６に記載の無線通信システム。
【請求項８】
アプリケーションソフトに基づいて動作するパソコンとデータの送受信を行い、子機とデータの送受信を無線で行う無線通信装置であって、
前記無線通信装置は、前記パソコンから送られてきたコマンドを受信するインターフェース部と、前記インターフェース部から受信したコマンドを解析するコマンド解析部と、データを記憶するメモリ部と、前記メモリ部にデータを書きこむデータ読み出し／書きこみ部と、前記子機とデータの送受信を無線で行う無線送受信部と、前記無線送受信部で受信したデータを解析すると共に解析した前記データが前記子機からのメッセージの時は前記インターフェース部に出力する受信データ解析部とを有し、
前記データ読み出し／書きこみ部は、前記メモリ部に複数の子機または親機の認証コードをグループ登録して書きこみ、前記制御部は、前記受信データ解析部で解析した認証コードについて、前記メモリ部にグループ登録されている認証コードを検索して認証処理を行うことを特徴とする無線通信装置。
【請求項９】
子機または親機と、アプリケーションソフトに基づいて動作するパソコンとデータの送受信を行うと共に前記子機または親機とデータの送受信を無線で行う無線通信装置とを有する無線通信システムであって、
前記無線通信装置は、前記パソコンから送られてきたコマンドを受信するインターフェース部と、前記インターフェース部から受信したコマンドを解析するコマンド解析部と、解析した前記コマンドが前記子機または親機への接続コマンドまたは切断コマンドであることを通知されたときには前記接続コマンドまたは切断コマンドにデータ読み出し／書きこみ部から読み出した認証コードを含ませる制御部と、認証コードを含んだ前記接続コマンドまたは切断コマンドを前記制御部から受信したときに子機または親機へ無線で送信する無線送受信部とを有し、
前記子機または親機は、前記無線通信装置とデータの送受信を無線で行う子機無線送受信部または親機無線送受信部と、前記子機無線送受信部または前記親機無線送受信部で受信したデータを解析する子機コマンド解析部または親機コマンド解析部と、前記子機無線送受信部または前記親機無線送受信部で受信したデータが記認証コードを含んだ接続コマンドまたは切断コマンドであると前記子機コマンド解析部または前記親機コマンド解析部で解析したときには前記接続コマンドまたは切断コマンドを実行する子機制御部または親機制御部とを有することを特徴とする無線通信システム。
【請求項１０】
前記子機制御部または前記親機制御部は、所定のボタンを押下したまま電源を立ち上げたときに、前記パソコンにて変更された認証コードを前記無線通信装置と接続するための認証コードに初期化することを特徴とする請求項９に記載の無線通信システム。
【発明の詳細な説明】
【技術分野】
【０００１】
本発明は、近距離無線通信機能を利用して装置間でデータ通信を行う無線通信装置およびその無線通信装置を有する無線通信システムに関するものである。
【背景技術】
【０００２】
近年、音声通信用である電話機および携帯端末の周辺機器としてハンズフリー及びコードレスにて通信可能であるコードレス・ヘッドセットが市場に投入され始めている。これらの機器に用いられる無線通信の例として、短距離の無線データ通信技術の標準規格となりつつあるＢｌｕｅｔｏｏｔｈ（ブルートゥース）がある。
【０００３】
Ｂｌｕｅｔｏｏｔｈは２．４ＧＨｚ帯の電波を用い、半径数ｍ程度の範囲内にある複数の機器を無線で接続してデータを送受信することを目的としている。このため、Ｂｌｕｅｔｏｏｔｈには、複数の機器間での誤接続や盗聴を防止するためのセキュリティ機能が規定されている。例えば、Ｂｌｕｅｔｏｏｔｈ対応携帯電話機をマスタとして、Ｂｌｕｅｔｏｏｔｈ対応ヘッドセットをスレーブとした場合の通信システムについて簡単に説明する。初めに、携帯電話機（マスタ）は周囲に存在する通信可能なヘッドセット（スレーブ）を探す問い合わせ処理を実行する。問い合わせ処理が完了すると、マスタとスレーブとの間で通信リンクの初期設定を行った後、認証コードによる接続認証が行われる。マスタには予めスレーブの認証コードを入力しておき、記憶させておく。通信リンクの初期設定後、マスタはスレーブから送信された当該スレーブの固有の認証コードを入手して、記憶してある認証コードと比較する。両認証コードが一致したら、リンクキー等を用いた暗号化処理等を経てマスタとスレーブとの通信リンクの設定を行う。このようにＢｌｕｅｔｏｏｔｈ対応ユニット間で決められている認証コードを暗証番号として用いることにより誤接続を防止するようにしている。
【０００４】
従来の無線通信装置は、パソコンや携帯電話機のように入力するためのインターフェースを持つ場合はキーから認証コードを入力して記憶させ、ヘッドセットのように入力するためのインターフェースを持たない場合は認証コードをプリセットしておく（非特許文献１を参照のこと）。また、認証用情報が記録されているメンバーカードを読み取るものもある（特許文献１を参照のこと）。
【非特許文献１】宮津和弘著「Ｂｌｕｅｔｏｏｔｈガイドブック」日刊工業新聞社出版、２０００年８月２８日、Ｐ．１７１−１８５
【特許文献１】特開２００１−２４５３４１号公報（第１−３頁、図１）
【発明の開示】
【発明が解決しようとする課題】
【０００５】
このように、無線通信では未認証端末間の誤接続を防止するために、認証コードの入力を必須としている。しかしながら、パソコンや携帯電話機のように認証コードを入力するためのインターフェースを持つ端末であれば問題ないが、組込み型や小型で入力インターフェースを持たない場合は認証コードをプリセットしておく必要がある。この場合、認証コードの変更ができないため、他の認証コードの無線端末と接続することができないという問題点を有していた。
【０００６】
この無線通信装置および無線通信システムでは、他の認証コードの無線端末との接続を容易に行うことが要求されている。
【０００７】
本発明は、この要求を満たすため、他の認証コードの無線端末との接続を容易に行うこ
とができる無線通信装置、および、他の認証コードの無線端末との接続を容易に行うことができる無線通信システムを提供することを目的とする。
【課題を解決するための手段】
【０００８】
この課題を解決するために本発明の無線通信装置は、アプリケーションソフトに基づいて動作するパソコンとデータの送受信を行い、子機とデータの送受信を無線で行う無線通信装置であって、無線通信装置は、パソコンから送られてきたコマンドと認証コードを受信するインターフェース部と、インターフェース部から受信したコマンドを解析するコマンド解析部と、データを記憶するメモリ部と、コマンド解析部で解析したコマンドが認証コード書きこみコマンドの時にメモリ部に受信した認証コードを書きこむデータ読み出し／書きこみ部と、メモリ部への認証コードの書きこみが終了したときに書きこみ終了メッセージを作成してインターフェース部に出力するメッセージ作成部と、無線を介して子機から送られてきた認証コードを受信する無線送受信部と、無線送受信部で受信した認証コードとメモリ部に書きこまれている認証コードとを用いて認証処理を行い、認証終了後に子機との接続リンク処理を行う制御部とを有する構成を備えている。
【０００９】
これにより、他の認証コードの無線端末との接続を容易に行うことができる無線通信装置が得られる。
【００１０】
この課題を解決するために本発明の無線通信システムは、子機と、アプリケーションソフトに基づいて動作するパソコンとデータの送受信を行うと共に子機とデータの送受信を無線で行う無線通信装置とを有する無線通信システムであって、無線通信装置は、パソコンから送られてきたコマンドを受信するインターフェース部と、インターフェース部から受信したコマンドを解析すると共に解析したコマンドが子機へのコマンドの時に解析したコマンドを無線送受信部に出力するコマンド解析部と、無線送受信部で受信したデータを解析すると共に解析したデータが子機からのメッセージの時はインターフェース部に出力する受信データ解析部と、子機とデータの送受信を無線で行う無線送受信部と、データを記憶するメモリ部とを有し、子機は、無線通信装置とデータの送受信を無線で行う子機無線送受信部と、子機無線送受信部で受信したデータを解析する子機コマンド解析部と、データを記憶するメモリ部と、子機コマンド解析部で解析したデータが認証コード書きこみコマンドの時にはメモリ部に認証コードを書きこむデータ読み出し／書きこみ部と、メモリ部への認証コードの書きこみが終了したときに書きこみ終了メッセージを作成して子機無線送受信部に出力するメッセージ作成部とを有する構成を備えている。
【００１１】
これにより、他の認証コードの無線端末との接続を容易に行うことができる無線通信システムが得られる。
【発明の効果】
【００１２】
本発明の無線通信装置は、アプリケーションソフトに基づいて動作するパソコンとデータの送受信を行い、子機とデータの送受信を無線で行う無線通信装置であって、無線通信装置は、パソコンから送られてきたコマンドと認証コードを受信するインターフェース部と、インターフェース部から受信したコマンドを解析するコマンド解析部と、データを記憶するメモリ部と、コマンド解析部で解析したコマンドが認証コード書きこみコマンドの時にメモリ部に受信した認証コードを書きこむデータ読み出し／書きこみ部と、メモリ部への認証コードの書きこみが終了したときに書きこみ終了メッセージを作成してインターフェース部に出力するメッセージ作成部と、無線を介して子機から送られてきた認証コードを受信する無線送受信部と、無線送受信部で受信した認証コードとメモリ部に書きこまれている認証コードとを用いて認証処理を行い、認証終了後に子機との接続リンク処理を行う制御部とを有することとしたものである。
【００１３】
この構成により、入力インターフェースを持たない無線通信装置であっても、容易に認証コードを設定することができるので、他の認証コードの無線端末との接続を容易に行うことができ、また、認証コードを予めセットしておく必要が無いので出荷時の工程を短縮することができ、さらに、認証コードを予めセットしておくための装備も必要ないので装置の小型化、軽量化を図ることができるという有利な効果が得られる。
【００１４】
さらに、コマンド解析部で解析したコマンドが認証コード参照コマンドの時、データ読み出し／書きこみ部はメモリ部から認証コードを読み出し、メッセージ作成部は読み出し終了メッセージを作成して読み出した認証コードと共にインターフェース部に出力することとしたものである。
【００１５】
この構成により、無線通信装置に設定された認証コードを容易にパソコンから参照することができるという作用を有する。
【００１６】
さらに、メモリ部は、データとして、通信に必要なパラメータを記憶することとしたものである。
【００１７】
この構成により、無線通信装置のパラメータの設定や参照を行うことができるので、メンテナンスが容易になるという作用を有する。
【００１８】
さらに、子機と、アプリケーションソフトに基づいて動作するパソコンとデータの送受信を行うと共に子機とデータの送受信を無線で行う無線通信装置とを有する無線通信システムであって、無線通信装置は、パソコンから送られてきたコマンドを受信するインターフェース部と、インターフェース部から受信したコマンドを解析すると共に解析したコマンドが子機へのコマンドの時に解析したコマンドを無線送受信部に出力するコマンド解析部と、無線送受信部で受信したデータを解析すると共に解析したデータが子機からのメッセージの時はインターフェース部に出力する受信データ解析部と、子機とデータの送受信を無線で行う無線送受信部と、データを記憶するメモリ部とを有し、子機は、無線通信装置とデータの送受信を無線で行う子機無線送受信部と、子機無線送受信部で受信したデータを解析する子機コマンド解析部と、データを記憶するメモリ部と、子機コマンド解析部で解析したデータが認証コード書きこみコマンドの時にはメモリ部に認証コードを書きこむデータ読み出し／書きこみ部と、メモリ部への認証コードの書きこみが終了したときに書きこみ終了メッセージを作成して子機無線送受信部に出力するメッセージ作成部とを有することとしたものである。
【００１９】
この構成により、入力インターフェースやインターフェース部を持たない子機であっても、無線通信装置を介して容易に認証コードを設定することができ、他の認証コードの無線端末との接続を容易に行うことができるという作用を有する。
【００２０】
さらに、データ読み出し／書きこみ部は、子機コマンド解析部で解析したコマンドが認証コード参照コマンドの時には子機メモリ部から認証コードを読み出し、メッセージ作成部は読み出し終了メッセージを作成して子機メモリ部から読み出した認証コードと共に無線送受信部に出力することとしたものである。
【００２１】
この構成により、子機に設定された認証コードを容易にパソコンから参照することができるという作用を有する。
【００２２】
さらに、子機メモリ部は、データとして、通信に必要なパラメータを記憶することとしたものである。
【００２３】
この構成により、子機のパラメータの設定や参照を行うことができるので、子機のメンテナンスが容易になるという作用を有する。
【００２４】
さらに、無線通信装置のメモリ部は、データとして、親機の認証コードやパラメータを記憶することとしたものである。
【００２５】
この構成により、親機に認証コードやパラメータを設定したり、親機に設定された認証コードやパラメータを参照することができるという作用を有する。
【００２６】
さらに、アプリケーションソフトに基づいて動作するパソコンとデータの送受信を行い、子機とデータの送受信を無線で行う無線通信装置であって、無線通信装置は、パソコンから送られてきたコマンドを受信するインターフェース部と、インターフェース部から受信したコマンドを解析するコマンド解析部と、データを記憶するメモリ部と、メモリ部にデータを書きこむデータ読み出し／書きこみ部と、子機とデータの送受信を無線で行う無線送受信部と、無線送受信部で受信したデータを解析すると共に解析したデータが子機からのメッセージの時はインターフェース部に出力する受信データ解析部とを有し、データ読み出し／書きこみ部は、メモリ部に複数の子機または親機の認証コードをグループ登録して書きこみ、制御部は、受信データ解析部で解析した認証コードについて、メモリ部にグループ登録されている認証コードを検索して認証処理を行うこととしたものである。
【００２７】
この構成により、無線通信装置は無線を介して複数の子機または親機のメンテナンスを行うことができるという作用を有する。
【００２８】
さらに、子機または親機と、アプリケーションソフトに基づいて動作するパソコンとデータの送受信を行うと共に子機または親機とデータの送受信を無線で行う無線通信装置とを有する無線通信システムであって、無線通信装置は、パソコンから送られてきたコマンドを受信するインターフェース部と、インターフェース部から受信したコマンドを解析するコマンド解析部と、解析したコマンドが子機または親機への接続コマンドまたは切断コマンドであることを通知されたときには接続コマンドまたは切断コマンドにデータ読み出し／書きこみ部から読み出した認証コードを含ませる制御部と、認証コードを含んだ接続コマンドまたは切断コマンドを制御部から受信したときに子機または親機へ無線で送信する無線送受信部とを有し、子機または親機は、無線通信装置とデータの送受信を無線で行う子機無線送受信部または親機無線送受信部と、子機無線送受信部または親機無線送受信部で受信したデータを解析する子機コマンド解析部または親機コマンド解析部と、子機無線送受信部または親機無線送受信部で受信したデータが認証コードを含んだ接続コマンドまたは切断コマンドであると子機コマンド解析部または親機コマンド解析部で解析したときには接続コマンドまたは切断コマンドを実行する子機制御部または親機制御部とを有することとしたものである。
【００２９】
この構成により、無線通信装置は、無線を介して、複数の子機または親機との動作テストを行うことができるので、複数の子機または親機のメンテナンスを容易に行うことができるという作用を有する。
【００３０】
さらに、子機制御部または親機制御部は、所定のボタンを押下したまま電源を立ち上げたときに、パソコンにて変更された認証コードを無線通信装置と接続するための認証コードに初期化することとしたものである。
【００３１】
この構成により、変更された認証コードを初期化することができるので、再び無線通信装置と無線接続を行うことができるという作用を有する。
【発明を実施するための最良の形態】
【００３２】
（実施の形態１）
図１は本発明の実施の形態１による無線通信装置を有する無線通信システムを示すブロック図であり、図５は図１の無線通信装置とパソコンとヘッドセットとから成る無線通信システムを示す構成図である。
【００３３】
図１において、１はパソコン、２は無線通信装置、３は子機、４はアプリケーションソフト格納部、５はインターフェース部、６はコマンド解析部、７はデータ読み出し／書きこみ部、８はメモリ部、９はメッセージ作成部、１０は無線送受信部、１１は制御部、１２は子機３の無線送受信部である。また、図５において、２１はパソコン、２２は親機としても機能する充電台と、２３はヘッドセットと、２４はアプリケーションソフト格納部である。図１において、パソコン１はアプリケーションソフト格納部４のアプリケーションソフトに基づいて動作し、無線通信装置２は構成要素５〜１１から成り、子機３は構成要素１２から成る。
【００３４】
以上のように構成された無線通信装置について、無線通信規格としてのブルートゥースを用いた場合を例として、詳細動作を図１を用いて説明する。
【００３５】
パソコン１と無線通信装置２をＲＳ２３２Ｃケーブルで接続する。パソコン１上でアプリケーションソフトを起動する。無線通信装置２に認証用のＰＩＮコードを設定する場合、アプリケーションソフトのＰＩＮコード設定画面（パソコン１）から子機３のＰＩＮコードを入力する。無線通信装置２のインターフェース部５は、ＲＳ２３２Ｃケーブルを介して送られてきたデータを受信して、コマンド解析部６に出力する。コマンド解析部６は、受信したデータのコマンド部を解析して、解析したコマンドがＰＩＮコードの書きこみコマンドの時、データ読み出し／書きこみ部７に対してメモリ部８への書きこみ要求を出力する。データ読み出し／書きこみ部７は、コマンド内に含まれているＰＩＮコードをメモリ部８の認証コード書きこみ領域に書きこみ、書きこみ終了したらメッセージ作成部９に書き込み終了を出力する。メッセージ作成部９は、ＰＩＮコード書きこみ終了メッセージを作成してインターフェース部５に出力する。インターフェース部５はＰＩＮコード書きこみ終了メッセージをＲＳ２３２Ｃケーブルへ出力する。アプリケーションソフトは、ＲＳ２３２Ｃケーブルを介してＰＩＮコード書きこみ終了メッセージを受信すると、設定されたＰＩＮコードを表示するためにＲＳ２３２Ｃケーブルを介して無線通信装置２に対してＰＩＮコード参照要求コマンドを送信する。インターフェース部５は受信したコマンドをコマンド解析部６に出力する。コマンド解析部６が解析したコマンドがＰＩＮコード参照要求コマンドの時、データ読み出し／書きこみ部７へ読み出し要求を出力する。データ読み出し／書きこみ部７はメモリ部８の認証コード書きこみ領域からＰＩＮコードを読み出し、読み出し終了したらメッセージ作成部９にＰＩＮコード読み出し終了と読み出したＰＩＮコードを出力する。メッセージ作成部９はＰＩＮコード読み出し終了メッセージを作成し、読み出したＰＩＮコードを付加してインターフェース部５に出力する。インターフェース部５は、ＰＩＮコード読み出し終了メッセージとＰＩＮコードをＲＳ２３２Ｃケーブルへ出力する。アプリケーションソフトはＲＳ２３２Ｃケーブルを介してＰＩＮコード読み出し終了メッセージとＰＩＮコードを受信すると、ＰＩＮコードを画面に表示する。無線送受信部１０は、子機３から送信されるＰＩＮコードやデータの送受信を無線で行う。制御部１１は、無線送受信部１０で受信した子機３のＰＩＮコードとメモリ部８に書きこまれているＰＩＮコードとを比較し、比較結果に基づいて子機３との認証処理を行い、認証終了後に子機３との接続リンク処理を行う。子機３の無線送受信部１２は、無線通信装置２にＰＩＮコードを含むデータの送受信を無線で行う。また、アプリケーションソフトからは、ＰＩＮコードだけでなく、通信に必要なパラメータ（ブルートゥースアドレスや省電力モードパラメータ等）も無線通信装置２へ設定し、無線通信装置２から参照できる。
【００３６】
なお、本実施の形態ではパソコン１と無線通信装置２をＲＳ２３２Ｃケーブルで接続した例で説明したが、ＵＳＢケーブルや無線等その他の接続でも同様に実施可能である。
【００３７】
以上のように本実施の形態によれば、アプリケーションソフトに基づいて動作するパソコン１とデータの送受信を行い、子機３とデータの送受信を無線で行う無線通信装置２であって、無線通信装置２は、パソコン１から送られてきたコマンドと認証コードを受信するインターフェース部５と、インターフェース部５から受信したコマンドを解析するコマンド解析部６と、データを記憶するメモリ部８と、コマンド解析部６で解析したコマンドが認証コード書きこみコマンドの時にメモリ部８に受信した認証コードを書きこむデータ読み出し／書きこみ部７と、メモリ部８への認証コードの書きこみが終了したときに書きこみ終了メッセージを作成してインターフェース部５に出力するメッセージ作成部９と、無線を介して子機３から送られてきた認証コードを受信する無線送受信部１０と、無線送受信部１０で受信した認証コードとメモリ部８に書きこまれている認証コードとを用いて認証処理を行い、認証終了後に子機３との接続リンク処理を行う制御部１１とを有することにより、入力インターフェースを持たない無線通信装置であっても、容易に認証コードを設定することができるので、他の認証コードの無線端末との接続を容易に行うことができ、また、認証コードを予めセットしておく必要が無いので出荷時の工程を短縮することができ、さらに、認証コードを予めセットしておくための装備も必要ないので装置の小型化、軽量化を図ることができる。
【００３８】
さらに、コマンド解析部６で解析したコマンドが認証コード参照コマンドの時、データ読み出し／書きこみ部７はメモリ部８から認証コードを読み出し、メッセージ作成部９は読み出し終了メッセージを作成して読み出した認証コードと共にインターフェース部５に出力することにより、無線通信装置２に設定された認証コードを容易にパソコンから参照することができる。
【００３９】
さらに、メモリ部８は、データとして、通信に必要なパラメータを記憶することにより、無線通信装置２のパラメータの設定や参照を行うことができるので、メンテナンスが容易になる。
【００４０】
（実施の形態２）
図２は、本発明の実施の形態２による無線通信システムを示すブロック図である。
【００４１】
図２において、パソコン１、無線通信装置２、子機３、アプリケーションソフト格納部４、インターフェース部５、コマンド解析部６、データ読み出し／書きこみ部７、メモリ部８、メッセージ作成部９、無線送受信部１０、制御部１１、無線送受信部１２は図１と同様のものなので、同一符号を付し、説明は省略する。１３は受信データ解析部、１４はコマンド解析部、１５はデータ読み出し／書きこみ部、１６はメモリ部（子機メモリ部）、１７はメッセージ作成部である。図２において、無線通信装置２は構成要素５〜１１、１３から成り、子機３は構成要素１２、１４〜１７から成る。子機３にＰＩＮコードを設定する場合、アプリケーションソフトで予め無線通信装置２に子機３のＰＩＮコードを設定しておき、無線通信装置２と子機３の接続リンクを行っておく必要がある。次に、アプリケーションソフトの子機３のＰＩＮコード入力画面から子機３に設定するＰＩＮコードを入力する。無線通信装置２のインターフェース部５は、ＲＳ２３２Ｃケーブルを介して受信したデータをコマンド解析部６に出力する。コマンド解析部６は、解析したコマンドが子機３へのコマンドである時、無線送受信部１０に出力し、無線送受信部１０は子機３へ無線を介してコマンドを送信する。子機３の無線送受信部１２はコマンドを受信し、コマンド解析部１４に出力する。コマンド解析部１４は、受信したデータのコマンド部を解析し、解析したコマンドがＰＩＮコードの書きこみコマンドの時、データ読み出し／書き
こみ部１５に対してメモリ部８への書きこみ要求を出力する。データ読み出し／書きこみ部１５は、コマンド内に含まれているＰＩＮコードをメモリ部１６の認証コード書きこみ領域に書きこみ、書きこみ終了したらメッセージ作成部１７に書きこみ終了を出力する。メッセージ作成部１７は、ＰＩＮコード書きこみ終了メッセージを作成して無線送受信部１２に出力する。無線送受信部１２は、ＰＩＮコード書きこみ終了メッセージを無線を介して無線通信装置２へ出力する。無線通信装置２の無線送受信部１０は受信したデータを受信データ解析部１３へ出力する。受信データ解析部１３は、解析したデータが子機３からのメッセージの時、インターフェース部５に出力する。インターフェース部５はメッセージをＲＳ２３２Ｃケーブルへ出力する。アプリケーションソフトは、ＲＳ２３２Ｃケーブルを介して子機３のＰＩＮコード書きこみ終了メッセージを受信すると、設定されたＰＩＮコードを表示するためにＲＳ２３２Ｃケーブルを介して無線通信装置２に対して子機３のＰＩＮコード参照要求コマンドを送信する。無線通信装置２はＰＩＮコード書きこみコマンド同様、子機３へコマンドを無線を介して送信し、子機３は書きこまれたＰＩＮコードを読み出し、無線通信装置２へ読み出し終了メッセージとＰＩＮコードを送信する。アプリケーションソフトは、ＲＳ２３２Ｃケーブルを介して受信した子機３のＰＩＮコード終了メッセージとＰＩＮコードを受信し、画面に表示する。また、アプリケーションソフトからは、ＰＩＮコードだけでなく、通信に必要なパラメータ（ブルートゥースアドレスや省電力モードパラメータ等）も子機３へ設定し、子機３から参照できる。さらに、アプリケーションソフトから無線通信装置２のメモリ部８に親機のＰＩＮコードを設定しておき、無線通信装置２を介してＰＩＮコードやパラメータを変更したり、参照することができる。
【００４２】
なお、本実施の形態ではパソコン１と無線通信装置２をＲＳ２３２Ｃケーブルで接続した例で説明したが、ＵＳＢケーブルや無線等その他の接続でも同様に実施可能である。
【００４３】
以上のように本実施の形態によれば、子機３と、アプリケーションソフトに基づいて動作するパソコン１とデータの送受信を行うと共に子機３とデータの送受信を無線で行う無線通信装置２とを有する無線通信システムであって、無線通信装置２は、パソコン１から送られてきたコマンドを受信するインターフェース部５と、子機３とデータの送受信を無線で行う無線送受信部１０と、インターフェース部５から受信したコマンドを解析すると共に解析したコマンドが子機３へのコマンドの時に解析したコマンドを無線送受信部１０に出力するコマンド解析部６と、無線送受信部１０で受信したデータを解析すると共に解析したデータが子機３からのメッセージの時はインターフェース部５に出力する受信データ解析部１３と、データを記憶するメモリ部８とを有し、子機３は、無線通信装置２とデータの送受信を無線で行う子機無線送受信部１２と、子機無線送受信部１２で受信したデータを解析する子機コマンド解析部１４と、データを記憶するメモリ部１６と、子機コマンド解析部１４で解析したデータが認証コード書きこみコマンドの時にはメモリ部１６に認証コードを書きこむデータ読み出し／書きこみ部１５と、メモリ部１６への認証コードの書きこみが終了したときに書きこみ終了メッセージを作成して子機無線送受信部１２に出力するメッセージ作成部１７とを有することにより、入力インターフェースやインターフェース部５を持たない子機であっても、無線通信装置を介して容易に認証コードを設定することができ、他の認証コードの無線端末との接続を容易に行うことができる。
【００４４】
さらに、データ読み出し／書きこみ部１５は、子機コマンド解析部１４で解析したコマンドが認証コード参照コマンドの時にはメモリ部１６から認証コードを読み出し、メッセージ作成部１７は読み出し終了メッセージを作成してメモリ部１６から読み出した認証コードと共に無線送受信部１２に出力することにより、子機３に設定された認証コードを容易にパソコン１から参照することができる。
【００４５】
さらに、メモリ部１６は、データとして、通信に必要なパラメータを記憶することによ
り、子機３のパラメータの設定や参照を行うことができるので、子機３のメンテナンスが容易になる。
【００４６】
さらに、無線通信装置２のメモリ部８は、データとして、親機の認証コードやパラメータを記憶することにより、親機に認証コードやパラメータを設定したり、親機に設定された認証コードやパラメータを参照することができる。
【００４７】
（実施の形態３）
図３は本発明の実施の形態３による無線通信装置を有する無線通信システム示すブロック図である。
【００４８】
図３において、パソコン１、無線通信装置２、子機３、アプリケーションソフト格納部４、インターフェース部５、コマンド解析部６、データ読み出し／書きこみ部７、メモリ部８、メッセージ作成部９、無線送受信部１０、制御部１１、無線送受信部１２、受信データ解析部１３は図１と同様のものなので、同一符号を付し、説明は省略する。３１〜３３は子機であり、内部構成は図２の子機３と同様である。無線通信装置２のデータ読み出し／書きこみ部７は、メモリ部８に複数の子機３１〜３３のＰＩＮコードをグループ登録して書きこむ。制御部１１は、無線送受信部１０で受信して受信データ解析部１３で解析したＰＩＮコードをグループ登録されているＰＩＮコードから検索して認証処理を行い、複数の子機との接続リンク処理を行う。また、複数の親機のＰＩＮコードもメモリ部８にグループ登録して書きこみ、認証処理時にグループ登録されている親機のＰＩＮコードから検索して認証処理を行い、複数の親機と接続リンクを行う。
【００４９】
なお、本実施の形態ではパソコン１と無線通信装置２をＲＳ２３２Ｃケーブルで接続した例で説明したが、ＵＳＢケーブルや無線等その他の接続でも同様に実施可能である。
【００５０】
以上のように本実施の形態によれば、アプリケーションソフトに基づいて動作するパソコン１とデータの送受信を行い、子機３とデータの送受信を無線で行う無線通信装置２であって、無線通信装置２は、パソコン１から送られてきたコマンドを受信するインターフェース部５と、インターフェース部５から受信したコマンドを解析するコマンド解析部６と、データを記憶するメモリ部８と、メモリ部８にデータを書きこむデータ読み出し／書きこみ部７と、子機３とデータの送受信を無線で行う無線送受信部１０と、無線送受信部１０で受信したデータを解析すると共に解析したデータが子機３からのメッセージの時はインターフェース部５に出力する受信データ解析部１３とを有し、データ読み出し／書きこみ部７は、メモリ部８に複数の子機または親機の認証コードをグループ登録して書きこみ、制御部１１は、受信データ解析部で解析した認証コードについて、メモリ部８にグループ登録されている認証コードを検索して認証処理を行うことにより、無線通信装置は無線を介して複数の子機または親機のメンテナンスを行うことができる。
【００５１】
（実施の形態４）
図４は、本発明の実施の形態４による無線通信システムを示すブロック図である。
【００５２】
図４において、パソコン１、無線通信装置２、子機３、アプリケーションソフト格納部４、インターフェース部５、コマンド解析部６、データ読み出し／書きこみ部７、メモリ部８、メッセージ作成部９、無線送受信部１０、制御部１１、無線送受信部（子機無線送受信部）１２、受信データ解析部１３、コマンド解析部（子機コマンド解析部）１４、データ読み出し／書きこみ部（子機データ読み出し／書きこみ部）１５、メモリ部（子機メモリ部）１６、メッセージ作成部（子機メッセージ作成部）１７は図２と同様のものなので、同一符号を付し、説明は省略する。１８は子機３の制御部である。図４において、無線通信装置２は構成要素５〜１１、１３から成り、子機３は構成要素１２、１４〜１８か
ら成る。無線通信装置２と子機３の接続テストを行う場合、アプリケーションソフトで予め無線通信装置２に子機３のＰＩＮコードを設定しておく必要がある。次に、アプリケーションソフトの動作テスト画面から子機３との接続コマンドメニューを選択する。無線通信装置２のインターフェース部５はＲＳ２３２Ｃケーブルを介して受信したデータをコマンド解析部６に出力する。コマンド解析部６は、解析したコマンドが子機３との接続コマンドである時、制御部１１に接続コマンド要求を出力する。制御部１１は、メモリ部８に書きこまれているＰＩＮコードをデータ読み出し／書きこみ部７に読み出させて受け取り、そのＰＩＮコードを含む接続要求コマンドを無線送受信部１０に出力し、無線送受信部１０は子機３へ無線を介してＰＩＮコードを含む接続要求コマンドを送信する。子機３の無線送受信部１２はコマンドを受信し、コマンド解析部１４に出力する。コマンド解析部１４で解析したコマンドが接続要求コマンドのとき、制御部１８は、無線送受信部１２で受信したＰＩＮコードとメモリ部１６に書きこまれているＰＩＮコードとを比較し、比較結果に基づいて無線通信装置２との認証処理を行い、認証終了後に無線通信装置２との接続リンク処理を行う。制御部１８は、接続リンク処理が完了すると、メッセージ作成部１７で作成した接続完了報告を無線送受信部１２に出力する。無線送受信部１２は無線を介して無線通信装置２へ接続完了報告を送信する。また、切断テストの場合も同様にして、無線通信装置２から子機３へ無線を介して切断要求コマンドを送信し、子機３は切断が完了すると、無線を介して切断完了報告を無線通信装置２へ送信する。
【００５３】
なお、本実施の形態では無線通信装置２と子機３との通信について説明したが、本発明はこれに限らず、無線通信装置２と親機（図示せず）との通信についても同様に適用でき、同様の効果を奏するものである。また、子機や親機に付属されているボタン（所定のボタン）を押下したまま電源を立ち上げると、子機や親機のメモリ部に書きこまれている認証コードを無線通信装置と接続するための認証コードに初期化するようにすることもできる。さらに、パソコン１と無線通信装置２をＲＳ２３２Ｃケーブルで接続した例で説明したが、ＵＳＢケーブルや無線等その他の接続でも同様に実施可能である。
【００５４】
以上のように本実施の形態によれば、子機３または親機と、アプリケーションソフトに基づいて動作するパソコン１とデータの送受信を行うと共に子機３または親機とデータの送受信を無線で行う無線通信装置２とを有する無線通信システムであって、無線通信装置２は、パソコン１から送られてきたコマンドを受信するインターフェース部５と、インターフェース部５から受信したコマンドを解析するコマンド解析部６と、解析したコマンドが子機３または親機への接続コマンドまたは切断コマンドであることを通知されたときには接続コマンドまたは切断コマンドにデータ読み出し／書きこみ部７から読み出した認証コードを含ませる制御部１１と、認証コードを含んだ接続コマンドまたは切断コマンドを制御部１１から受信したときに子機３または親機へ無線で送信する無線送受信部１０とを有し、子機３または親機は、無線通信装置２とデータの送受信を無線で行う子機無線送受信部１２または親機無線送受信部と、子機無線送受信部１２または親機無線送受信部で受信したデータを解析する子機コマンド解析部１４または親機コマンド解析部と、子機無線送受信部１２または親機無線送受信部で受信したデータが認証コードを含んだ接続コマンドまたは切断コマンドであると子機コマンド解析部１４または親機コマンド解析部で解析したときには接続コマンドまたは切断コマンドを実行する子機制御部１８または親機制御部とを有することにより、無線通信装置２は、無線を介して、複数の子機３または親機との動作テストを行うことができるので、複数の子機３または親機のメンテナンスを容易に行うことができる。
【００５５】
さらに、子機制御部１８または親機制御部は、所定のボタンを押下したまま電源を立ち上げたときに、パソコン１にて変更された認証コードを無線通信装置２と接続するための認証コードに初期化することにより、変更された認証コードを初期化することができるので、再び無線通信装置２と無線接続を行うことができる。
【産業上の利用可能性】
【００５６】
本発明にかかる無線通信装置は、入力インターフェースを持たない無線通信装置であっても、容易に認証コードを設定することができるので、他の無線コードの無線端末との接続を容易に行うことができ、また、認証コードを予めセットしておく必要が無いので出荷時の工程を短縮することができ、さらに、認証コードを予めセットしておくための装備も必要ないので装置の小型化、軽量化を図ることができる効果を有し、コードレス電話機等として有用である。
【図面の簡単な説明】
【００５７】
【図１】本発明の実施の形態１による無線通信装置を有する無線通信システムを示すブロック図
【図２】本発明の実施の形態２による無線通信システムを示すブロック図
【図３】本発明の実施の形態３による無線通信装置を有する無線通信システムを示すブロック図
【図４】本発明の実施の形態４による無線通信システムを示すブロック図
【図５】図１の無線通信装置とパソコンとヘッドセットとから成る無線通信システムを示す構成図
【符号の説明】
【００５８】
１、２１    パソコン
２    無線通信装置
３、３１、３２、３３    子機
４、２４    アプリケーションソフト格納部
５    インターフェース部
６、１４    コマンド解析部
７、１５    データ読み出し／書きこみ部
８、１６    メモリ部
９、１７    メッセージ作成部
１０    無線送受信部
１１、１８    制御部
１２    無線送受信部
１３    受信データ解析部
１４    コマンド解析部
１５    データ読み出し／書きこみ部
２２    充電台（親機）
２３    ヘッドセット
【図１】
2005057567.tif 000003
【図２】
2005057567.tif 000004
【図３】
2005057567.tif 000005
【図４】
2005057567.tif 000006
【図５】
2005057567.tif 000007